(57)【要約】      （修正有）【課題】何度か使用することで、粘着体の粘着力が低下し、使用できなくなった場合には、その粘着体のみを廃棄して、支持軸体は再使用することができ、さらに粘着体を拾い上げる物に適した形状に変形できるようにし、その拾い上げる物に適した粘着面を確保して、強力な粘着力を発揮でき、拾い上げる物が狭い隙間の奥の方までに入り込んでいるような場合にも、拾い上げる物に支持軸体が届くようにした粘着式拾い上げ具を提供する。【解決手段】保持部を先端に着脱自在として設けた伸縮自在の支持軸体２と、前記保持部に着脱自在とした粘着体３とからなる。【選択図】図３
0003185103.tif 000002
【実用新案登録請求の範囲】
【請求項１】
保持部（１）を先端に着脱自在として設けた伸縮自在の支持軸体（２）と、前記保持部（１）に着脱自在とした粘着体（３）とからなることを特徴とする粘着式拾い上げ具。
【請求項２】
前記支持軸体（２）を、口径が異なる複数の中空軸（２ａ、２ｂ、２ｃ・・・）を順次、軸方向に摺動自在に連結したことを特徴とする請求項１記載の粘着式拾い上げ具。
【請求項３】
前記粘着材（３）を、柔軟性帯状体（３ａ）の両面を粘着面とし、これら両粘着面に剥離フィルム（３ｂ）を被覆したものとしたことを特徴とする請求項１記載の粘着式拾い上げ具。
【考案の詳細な説明】
【技術分野】
【０００１】
この考案は、手では届かない狭い隙間に入り込ませ、例えばその隙間に落下したネジやナット、コイン等のマグネットがつかない軽量小物、マグネットを使用することができない電子部品等を拾い上げるのに適した粘着式拾い上げ具に関するものである。
【背景技術】
【０００２】
従来、この種の粘着式拾い上げ具として、例えば図８ａ、８ｂに示したように、細杆１１の先端部に形成した凹溝１２に食い込むようにして粘着剤層１３を形成させたものが存在する（特許文献１）。
【０００３】
さらに、この種の粘着式拾い上げ具として、図９に示したように、木材、紙、金属もしくはプラスチックでできた軸２１の少なくとも一端に、粘着剤２２を被覆してなるもの（特許文献２）や、図１０に示したように、木製丸棒などのスティック３１の一端にシリコーンゴムなどのエラストマー重合体３２をキャップ様に被覆してなるもの（特許文献３）が存在する。
【０００４】
このようにした従来の粘着式拾い上げ具は、各種機器の組立てなどの際、小さなビス、ナット、ワッシャ等を付着して所定の個所に運んだり、床などに落ちた際の拾い上げに便利であるとしたり、手で拾い上げにくい小物、汚れた物などを容易に拾うことができ、そのまま廃棄することができる簡便さを有しているとしたり、電子部品を直接手で触れることなく簡単に取り扱えて、電子部品を清潔に保つことができるなどとしている。
【０００５】
さらに、従来の粘着式掃除具として、図１１に示したように、丸棒形状とした掃除具本体４１の先端に、適当な長さに切断した市販の粘着テープ４２の一端を、その粘着テープ４２の粘着面を外側にして巻き付けたものが存在する（特許文献４）。
【０００６】
このようにした従来の粘着式掃除具は、粘着テープ４２の粘着面を被清掃面に近づけて、初めのうちは、粘着テープ４２の巻き付け端側から他端に向かって掃くようにして使用し、次に粘着面全面を被清掃面に接触させて滑らすようにして使用すれば、ゴミどうしの絡まり効果と、粘着テープの粘着効果でゴミが回収できるとしている。そして、粘着テープ４２を取り外す際は、ゴミの付着した粘着面を内側にして二つ折りにし、粘着面に付着したゴミを閉じ込めた状態にし、掃除具本体４１の長手方向に容易に引き抜くことができるようにしている。
【先行技術文献】
【特許文献】
【０００７】
【特許文献１】実開昭５９−１８９９２号公報
【特許文献２】実開昭６０−１２９２６６号公報
【特許文献３】実開平４ー１２９９１６号公報
【特許文献４】特開２０１１ー１０４１８１号公報
【考案の概要】
【考案が解決しようとする課題】
【０００８】
しかしながら、上記図８〜１０に示した従来の粘着式拾い上げ具は、いずれも細杆１１、軸２１、スティック３１とした支持軸体から、これらの先端部に形成させたり被覆させたりした粘着剤層１３、粘着剤２２、エラストマー重合体３２とした粘着体を外すことができないので、何度かの使用によって粘着体の粘着力が低下してしまい使用できなくなると、これらの支持軸体ごと廃棄しなければならず、不経済であるという課題を有していた。
【０００９】
さらに、上記従来の粘着式拾い上げ具は、前記支持軸体の先端部に形成させたり被覆させたりした粘着体の形状を、その拾い上げる物に適した形状に変形させることができないので、十分に粘着面を確保して、強力な粘着力を発揮することができず、その物を拾い上げにくいことがあるという課題を有していた。
【００１０】
また、上記従来の粘着式拾い上げ具は、前記支持軸体を伸ばすことができないので、拾い上げる物が狭い隙間の奥の方までに入り込んでいる場合には、その拾い上げる物に支持軸体が届かず、その物を拾い上げることができないことがあるという課題を有していた。
【００１１】
上記図１１に示した従来の粘着式掃除具は、小物の拾い上げ具として使用した場合、粘着テープ４２の形状を、拾い上げる物に適した形状に変形させることができないので、粘着面が大きすぎて、その拾い上げた物に巻き付いたりして、その拾い上げた物を粘着テープ４２から容易に外せなくなることがあるという課題を有していた。
【００１２】
また、上記従来の粘着式掃除具でも、小物の拾い上げ具として使用した場合、上記従来の粘着式拾い上げ具と同様に掃除具本体４１を伸ばすことができないので、拾い上げる物が狭い隙間の奥の方までに入り込んでいるような場合には、その拾い上げる物に掃除具本体４１が届かず、その物を拾い上げることができないことがあるという課題を有していた。
【００１３】
そこで、この考案は、上記従来の粘着式拾い上げ具や粘着式掃除具が有する課題を解決することを目的としており、何度かの使用によって粘着体の粘着力が低下してしまい使用できなくなった場合には、その粘着体のみを廃棄して、支持軸体は再使用することができ、さらに粘着体を拾い上げる物に適した形状に変形させることができるようにして、その拾い上げる物に適した粘着面を確保して、強力な粘着力を発揮することができ、しかも拾い上げる物が狭い隙間の奥の方までに入り込んでいるような場合にも、その拾い上げる物に支持軸体が届くようにした粘着式拾い上げ具を提供することを目的としてなされたものである。
【課題を解決するための手段】
【００１４】
そのため、この考案の粘着式拾い上げ具は、保持部１を先端に着脱自在として設けた伸縮自在の支持軸体２と、前記保持部１に着脱自在とした粘着体３とからなるものとしている。
【００１５】
さらに、この考案の粘着式拾い上げ具は、前記支持軸体２を、口径が異なる複数の中空軸２ａ、２ｂ、２ｃ・・・を順次、軸方向に摺動自在に連結したものとしている。
【００１６】
また、この考案の粘着式拾い上げ具は、前記粘着材３を、柔軟性帯状体３ａの両面を粘着面とし、これら両粘着面に剥離フィルム３ｂを被覆したものとしている。
【考案の効果】
【００１７】
この考案の粘着式拾い上げ具は、以上に述べたように構成されており、何度かの使用によって粘着体の粘着力が低下してしまい使用できなくなった場合には、その粘着体のみを廃棄して、支持軸体は再使用することができるので、経済的に優れたものとなる。
【００１８】
さらに、この考案の粘着式拾い上げ具は、粘着体を拾い上げる物に適した形状に変形させることができるようにしたので、拾い上げる物に適した粘着面を確保して、強力な粘着力を発揮することができるようになり、しかも拾い上げる物が狭い隙間の奥の方までに入り込んでいる場合にも、その拾い上げる物に支持軸体が届くようにしたので、拾い上げる物や拾い上げる場所の適用範囲が広がり、使い勝手のよいものとなる。
【図面の簡単な説明】
【００１９】
【図１】この考案の粘着式拾い上げ具の支持軸体の平面図である。
【図２】この考案の粘着式拾い上げ具の粘着体の斜視図である。
【図３】この考案の粘着式拾い上げ具の支持軸体に粘着体を装着した状態を示す斜視図である。
【図４】この考案の粘着式拾い上げ具の支持軸体の先端に設けた保持部の形状を示しており、（ａ）〜（ｇ）はその各種の形状の実施態様を示す平面図である。
【図５】この考案の粘着式拾い上げ具の支持軸体に粘着体を装着するときの手順を示す説明図である。
【図６】この考案の粘着式拾い上げ具の使用状態の一例を示す説明図である。
【図７】この考案の粘着式拾い上げ具の使用状態の他の例を示す説明図である。
【図８】従来の粘着式拾い上げ具の一例を示しており、（ａ）はその正面図であり、（ｂ）はその一部断面図である。
【図９】従来の粘着式拾い上げ具の他の例を示す正面図である。
【図１０】従来の粘着式拾い上げ具のさらに他の例を示す正面図である。
【図１１】従来の粘着式掃除具の一例を示す斜視図である。
【考案を実施するための形態】
【００２０】
以下、この考案の粘着式拾い上げ具を実施するための形態を、図面に基づいて詳細に説明する。
【００２１】
この考案の粘着式拾い上げ具は、図１〜３に示したように、保持部１を先端に設けた伸縮自在の支持軸体２と、前記保持部１に着脱自在とした粘着体３とからなるものとしている。
【００２２】
前記保持部１は、支持軸体２の先端に形成した雌ネジ（図示せず）に保持部１の後端に形成した雄ネジ１ａをねじ込んだりして、支持軸体２に着脱自在として設けたものとしている。そして、前記保持部１は、その最大幅Ｗを５〜１０ｍｍ程度にしており、その形状としては、例えば図４（ａ）〜（ｇ）に示したような略「クエスチョンマーク」、略「正方形」、略「長方形」、略「正三角形」、略「ひし形」等の形状部を有したものとして実施することができる。前記保持部１をこのような形状にすることにより、後に述べるように保持部１に粘着体３を巻き付けて保持させることにより、使用時には保持部１から粘着体３が外れにくく、使用後は保持部１から粘着体３を外しやすいものとなる。
【００２３】
前記支持軸体２は、口径が異なる複数の中空軸２ａ、２ｂ、２ｃ・・・を順次、軸方向に摺動自在に連結することにより伸縮自在としており、例えば、最短時の長さを１０〜２０ｃｍ程度にして持ち運びやすいものとし、最長時の長さ８０〜２００ｃｍ程度にして狭い隙間の奥の方までに入り込ませることができるようにしている。そして、前記支持軸体２は、金属や合成樹脂等から構成されており、周方向（幅方向）に撓むようにしたり、電導性としたり、非電導性とすることができる。さらに、支持軸体２の後端には、クリップ４を設けたものとしており、このクリップ４を衣服のポケット等に引っ掛ければ、より持ち運びやすいものとなる。
【００２４】
前記粘着体３は、長さを３０〜７０ｍｍ程度にし、幅を５〜１０ｍｍ程度にし、厚さを１〜３ｍｍ程度にした柔軟性帯状体３ａの両面を粘着面とし、これら両粘着面に剥離フィルム３ｂを被覆したものとしており、その粘着力が、１０ｇの荷重物に２０ｍｍ２ 密着を約２秒行った際に約１５秒以上の連続保持を示すものとするのが好ましい。そして、前記粘着体３は、拾い上げる物に粘着させた後に粘着跡を残したり、拾い上げる物が塗装を施されている場合にはその塗装を痛めないようにしている。さらに、前記粘着体３は、拾い上げる物に粘着させてから時間が経過すると、自然に剥がれてくる性質（自己剥離性）を有するものとするのが好ましい。また、前記粘着体３は、何度かの使用によって粘着力が低下してしまっても、洗浄することにより粘着力が回復する性質を有するものとするのが好ましい。
【００２５】
以上のように構成されたこの考案の粘着式拾い上げ具は、使用するに当たり、図５に示したように、片面の剥離フィルム３ｂを剥がした柔軟性帯状体３ａを、支持軸体２の先端に設けた保持部１に巻き付けつつ、もう片面の剥離フィルム３ｂを剥がしていくことにより、支持軸体２の先端に設けた保持部１に粘着体３を装着する。
【００２６】
このようにしたこの考案の粘着式拾い上げ具は、例えば図６に示したように、グレーチング、網等で塞がれて手の入らない場所に、ネジやナット、コイン等のマグネットがつかない軽量小物を落した場合には、支持軸体２を適当な長さに伸ばして、グレーチング、ラス網等の隙間から差し込み、保持部１に装着した粘着体３をその軽量小物に押し当て、グレーチング、ラス網等の隙間から引き出せば、その軽量小物を拾い上げることができる。
【００２７】
さらに、この考案の粘着式拾い上げ具は、例えば図７に示したように、壁と棚等の狭い隙間の奥の方に、ネジやナット、コイン等のマグネットがつかない軽量小物を落した場合には、支持軸体２をその軽量小物に届く長さに伸ばして、その隙間から差し込み、前記したのと同様に保持部１に装着した粘着体３をその軽量小物に押し当て、壁と棚等の狭い隙間の奥の方から引き出せば、その軽量小物を拾い上げることができる。
【００２８】
そして、この考案の粘着式拾い上げ具は、以上のようにして何度か使用していると、粘着体３の粘着力が低下してしまうが、粘着体３を洗浄すれば粘着力が回復するので、再使用することができる。しかし、粘着体３を何度も洗浄して再使用していくうちに、粘着体３が劣化して粘着力が回復しなくなる。このような場合は、保持部１から粘着体３を外して新しいものに取り換えればよく、支持軸体２はいつまでも再使用することができる。
【００２９】
さらに、この考案の粘着式拾い上げ具は、保持部１の形状を図４（ａ）〜（ｇ）に示したような色々なものに取り換えたり、保持部１への粘着体３の巻き付け方を工夫して、拾い上げる物に適した形状に変形させれば、拾い上げる物に適した粘着面を確保することができ、強力な粘着力を発揮することができるようになり、その物が拾い上げやすくなる。
【符号の説明】
【００３０】
１  保持部
２  支持軸体
２ａ  中空軸
２ｂ  中空軸
２ｃ  中空軸
３  粘着体
３ａ  柔軟性帯状体
３ｂ  剥離フィルム
【図１】
0003185103.tif 000003
【図２】
0003185103.tif 000004
【図３】
0003185103.tif 000005
【図４】
0003185103.tif 000006
【図５】
0003185103.tif 000007
【図６】
0003185103.tif 000008
【図７】
0003185103.tif 000009
【図８】
0003185103.tif 000010
【図９】
0003185103.tif 000011
【図１０】
0003185103.tif 000012
【図１１】
0003185103.tif 000013